(57)【要約】　　　（修正有）【課題】薄形、偏平タイプに対応したスイッチを提供する。【解決手段】基部１に接点片１ａ、１ｂと操作片１ｃを突出したばね平板の、基部１の側辺と操作片１ｃの中心線上にリブ１ｄを形成し、基部のリブ１ｄの両端に支軸部１ｅを突設し、接点片１ａ、１ｂの先端に接点ａ、ｂを形成して接点ばね片Ａを設け、該接点ばね片Ａをケース２内に、その支軸部１ｅをケース２の軸受部２ａに枢支し、一方の接点片１ａの接点ａをケース２内底面の一方の固定接点４ａに接触すると共に他方の接点片１ｂの接点ｂを他方の固定接点４ｂ上に離隔相対し、また、前記固定接点４ａに接点ａを接触した接点片１ａの弾力により、軸受部２ａに枢支した支軸部１ｅを中心として操作片１ｃを上方回動付勢した状態に設け、該操作片１ｃの先端上に操作子３を設置して設けた【選択図】図１
2004134224.tif 000002
【特許請求の範囲】
【請求項１】
基部の一側に接点片と操作片を平行に突出して略Ｅ形に形成したばね平板の、基部の側辺と操作片の中心線上にＴ形に溝状のリブを形成して、基部と操作片に一体的な剛性を付与し、基部のリブの両端に支軸部を突設し、接点片の先端を夫々折曲げて接点を形成して接点ばね片を設け、
該接点ばね片をケース内に、その支軸部をケースの軸受部に枢支し、一方の接点片の接点をケース内底面の一方の固定接点に接触すると共に他方の接点片の接点を他方の固定接点上に離隔相対し、また、前記固定接点に接点を接触した接点片の弾力により、軸受部に枢支した支軸部を中心として操作片を上方回動付勢した状態に設け、該操作片の先端上に押ボタン等の操作子を設置してスイッチを設け、
該スイッチの操作子の押圧下降により接点ばね片の操作片を支軸部を中心として下方回動し、同時に接点片を下方回動して、上記の離隔していた他方の接点を他方の固定接点に接触（スイッチＯＮ）し、更なる操作片の下方回動で両接点を両固定接点に圧接し、
また、操作子の押圧を解くことにより、固定接点に接点を圧接していた接点片の復元弾力で操作片を復元回動してスイッチＯＦＦするように備えたものである、スイッチ。
【請求項２】
基部の一側に接点片と操作片を平行に突出して略Ｅ形に形成したばね平板の、基部の側辺と操作片の中心線上にＴ形に溝状のリブを形成して、基部と操作片に一体的な剛性を付与し、基部のリブの両端に支軸部を突設し、接点片の先端を夫々折曲げて接点を形成した接点ばね片であり、
該接点ばね片をケース内に、その支軸部をケースの軸受部に枢支し、一方の接点片の接点をケース内底面の一方の固定接点に接触すると共に他方の接点片の接点を他方の固定接点上に離隔相対し、また、前記固定接点に接点を接触した接点片の弾力により、軸受部に枢支した支軸部を中心として操作片を上方回動付勢した状態に設け、該操作片の先端上に押ボタン等の操作子を設置してスイッチを設けるものである、スイッチ用の接点ばね片。
【請求項３】
接点ばね片を内装するケースを、偏平な接点ばね片の高さ寸法と支軸部を中心とする操作片先端の回動寸法をプラスした寸法に見合った寸法の薄形に形成したこと、及び、薄形であり乍ら操作子の操作寸法、即ち操作片先端の回動寸法を大に設定したことを特徴とする、請求項１のスイッチ。
【発明の詳細な説明】
【０００１】
【産業上の利用分野】
外形が薄く偏平なタイプ（厚さ寸法小）のスイッチの需要に対応するため、接点ばね片を１枚のばね平板で形成し、その１枚のばね平板に、押ボタン等の操作子の押圧下降操作に直接的（剛直）に対応するための条溝（リブ）を形成する一方、接点片とする部分はばね板のままとして、１枚のばね平板に剛直性と弾力性の２通りの特性を具備せしめたことを特徴とする、また、リブの一端を支軸として他端を操作子の押圧下降で回動することにより、操作子の操作ストロークを大に設定し得たことを特徴とするスイッチを提供するものである。
【０００２】
【従来の課題】
従来、例えば出願人が先に開発提供したスイッチ（特開平５−２１１０２１号、「プッシュスイッチ」）等は、スイッチ作用（常時は離隔している接点ばね片の可動接点とケース側の固定接点を操作子の押圧下降等で接、離、即ち、ＯＮ、ＯＦＦする作用）を行うための構造的制約から、接点ばね片の構造も限定されるため、近時需要が増大しつつある薄形、偏平（外形形状寸法、即ち接点ばね片をケースに内装した状態）なタイプのスイッチに対応し難い課題があった。
【０００３】
【発明が解決した課題】
そこで、本発明は、接点ばね片として１枚のばね平板を使用することによって接点片と操作片からなる薄形、偏平な接点ばね片を設けることを可能とする一方、該接点ばね片を操作子（押ボタン、プッシュレバー等）の押圧力で反曲してスイッチ作用を行う場合に、接点片と操作片が同じばね平板のままでは、操作片も接点片と一緒に反曲してしまって使用不能なため、少なくとも操作片は操作子の押圧力で反曲しない剛直性が必要であることに想到したものであり、接点ばね片の一部（基部と操作片）に条溝状の補強リブを形成することによって、操作片に剛直性を具備せしめて、上記課題を解決したものである。
【０００４】
【課題を解決する手段】
即ち、本発明は、基部の一側に接点片と操作片を平行に突出して略Ｅ形に形成したばね平板の、基部の側辺と操作片の中心線上にＴ形に溝状のリブを形成して、基部と操作片に一体的な剛性を付与し、基部のリブの両端に支軸部を突設し、接点片の先端を夫々折曲げて接点を形成して接点ばね片を設け、
【０００５】
該接点ばね片をケース内に、その支軸部をケースの軸受部に枢支し、一方の接点片の接点をケース内底面の一方の固定接点に接触すると共に他方の接点片の接点を他方の固定接点上に離隔相対し、また、前記固定接点に接点を接触した接点片の弾力により、軸受部に枢支した支軸部を中心として操作片を上方回動付勢した状態に設け、該操作片の先端上に押ボタン等の操作子を設置してスイッチを設け、
【０００６】
該スイッチの操作子の押圧下降により接点ばね片の操作片を支軸部を中心として下方回動し、同時に接点片を下方回動して、上記の離隔していた他方の接点を他方の固定接点に接触（スイッチＯＮ）し、更なる操作片の下方回動で両接点を両固定接点に圧接し、
【０００７】
また、操作子の押圧を解くことにより、固定接点に接点を圧接していた接点片の復元弾力で操作片を復元回動してスイッチＯＦＦするように備えたものである、スイッチによって課題を解決したものである。
【０００８】
【実施例】
「スイッチ」
図１〜図５を参照。
基部１の一側に接点片１ａ、１ｂと操作片１ｃを平行に突出して略Ｅ形に形成したばね平板の、基部１の側辺と操作片１ｃの中心線上にＴ形に溝状のリブ１ｄを形成して、基部１と操作片１ｃに一体的な剛性を付与し、基部のリブ１ｄの両端に支軸部１ｅを突設し、接点片１ａ、１ｂの先端を夫々折曲げて接点ａ、ｂを形成して接点ばね片Ａを設け、（図５を参照）
【０００９】
該接点ばね片Ａをケース２内に、その支軸部１ｅをケース２の軸受部２ａに枢支し、一方の接点片１ａの接点ａをケース２内底面の一方の固定接点４ａに接触すると共に他方の接点片１ｂの接点ｂを他方の固定接点４ｂ上に離隔相対し、また、前記固定接点４ａに接点ａを接触した接点片１ａの弾力により、軸受部２ａに枢支した支軸部１ｅを中心として操作片１ｃを上方回動付勢した状態に設け、該操作片１ｃの先端上に押ボタン等の操作子３を設置してスイッチＳを設け、（図１を参照）
【００１０】
該スイッチＳの操作子３の押圧下降により接点ばね片Ａの操作片１ｃを支軸部１ｅを中心として下方回動し、同時に接点片１ａ、１ｂを下方回動して、上記の離隔していた他方の接点ｂを他方の固定接点４ｂに接触（スイッチＯＮ）し、更なる操作片１ｃの下方回動で両接点ａ、ｂを両固定接点４ａ、４ｂに圧接し、
【００１１】
また、操作子３の押圧を解くことにより、固定接点４ａ、４ｂに接点ａ、ｂを圧接していた接点片１ａ、１ｂの復元弾力で操作片１ｃを復元回動してスイッチＯＦＦするように備えた、スイッチＳである。（図１〜図３、及び図４を参照）
【００１２】
【実施例】
「接点ばね片」
図５、及び図１〜４を参照。
基部１の一側に接点片１ａ、１ｂと操作片１ｃを平行に突出して略Ｅ形に形成したばね平板の、基部１の側辺と操作片１ｃの中心線上にＴ形に溝状のリブ１ｄを形成して、基部１と操作片１ｃに一体的な剛性を付与し、基部１のリブ１ｄの両端に支軸部１ｅを突設し、接点片１ａ、１ｂの先端を夫々折曲げて接点ａ、ｂを形成した接点ばね片Ａであり、
該接点ばね片Ａをケース２内に、その支軸部１ｅをケース２の軸受部２ａに枢支し、一方の接点片１ａの接点ａをケース２内底面の一方の固定接点４ａに接触すると共に他方の接点片１ｂの接点ｂを他方の固定接点４ｂ上に離隔相対し、また、前記固定接点４ａに接点ａを接触した接点片１ａの弾力により、軸受部２ａに枢支した支軸部１ｅを中心として操作片１ｃを上方回動付勢した状態に設け、該操作片１ｃの先端上に押ボタン等の操作子３を設置してスイッチＳを設けるものである、スイッチ用の接点ばね片Ａである。
【００１３】
上記において、接点ばね片Ａを内装するケース２は、偏平な接点ばね片Ａの高さ寸法と支軸部１ｅを中心とする操作片１ｃ先端の回動寸法をプラスした寸法に見合った寸法の薄形に設け、また、薄形であり乍ら操作子３の操作寸法、即ち操作片１ｃ先端の回動寸法を大に設定し得るように設けたものである。（図１、図４を参照）
【００１４】
【作用】
図１〜図３、及び図４を参照。
接点ばね片Ａの支軸部１ｅをケース２の軸受部２ａに枢支し、操作子３を押圧下降すると、操作片１ｃが支軸部１ｅを中心として下方回動し、同時に両接点片１ａ、１ｂも下方回動し、接点片１ａの接点ａは固定接点４ａに対する圧接力を増加して反曲し、接点片１ｂの接点ｂは下降して固定接点４ｂに接触（スイッチＯＮ）する。（図１→図２）
【００１５】
更に操作子３を押圧下降して操作片１ｃを下方回動すると、両接点片１ａ、１ｂは反曲して固定接点４ａ、４ｂに対する圧接力を増すと共に接触部をこじり摩擦して接触通電状態を確保する。（図３）
【００１６】
操作子３の押圧を解くと、操作片１ｃが最初は両接点片１ａ、１ｂの復元弾力で、また、接点片１ｂの接点ｂが固定接点４ｂから離隔して後は、接点片１ａの復元弾力で支軸部１ｅを中心として復元回動して原位置に戻るものである。（図３→図１）
【００１７】
【効果】
接点ばね片を１枚のばね平板で設けたため、スイッチ全体を極めて薄形、偏平かつ小形に形成し得た。
【００１８】
１枚のばね平板に柔軟弾力性の接点片を設ける一方、スイッチ操作上不可欠な剛直性を備えた部分をばね平板に条溝状の補強リブを形成することにより設けて、１枚のばね平板に柔軟弾力性と剛直性の２通りの特性を具備せしめることによって、薄形、偏平な接点ばね片で高精度のスイッチ作用を行う、接点ばね片及びスイッチを構成し得た革期的な特徴がある。
【００１９】
また、剛直性の操作片を支軸部を中心として操作子の負荷で回動するように備えたことによって、操作子の操作ストロークを大に設定することができ、よって、スイッチとしての作用の高精度確実性及び用途の汎用性を著しく向上し得た。
【図面の簡単な説明】
【図１】本発明実施例接点ばね片を備えた実施例スイッチの縦断正面図。
【図２】図１の作用説明図で操作子をスイッチＯＮまで押圧操作した図。
【図３】図１の作用説明図で図２の操作子を下限まで押圧操作した図。
【図４】本発明スイッチ及び接点ばね片の作用説明図。
【図５】本発明実施例接点ばね片の正面図、底面図、及び右側面図。
【符号の説明】
Ａ　　　接点ばね片
Ｓ　　　スイッチ
ａ　　　接点
ｂ　　　接点
１ａ　　接点片
１ｂ　　接点片
１ｃ　　操作片
１ｄ　　リブ
１ｅ　　支軸部
２　　　ケース
２ａ　　軸受部
３　　　操作子
４ａ　　固定接点
４ｂ　　固定接点
【図１】
2004134224.tif 000003
【図２】
2004134224.tif 000004
【図３】
2004134224.tif 000005
【図４】
2004134224.tif 000006
【図５】
2004134224.tif 000007